(57)【要約】【課題】貯水部に雨水等の水分を確実に導き、雨水等の水分をより多く確保して植栽に有効利用する。【解決手段】略箱形の貯水部の上方に略箱形の植栽部が設けられる緑化構造体を敷設面に複数並設して構成される緑化設備で、隣り合う植栽部の側壁相互間に貯水部へ水分を導入可能な流水経路を設け、流水経路の下方に貯水部の開口の一部を配設する。前記流水経路は、植栽部の育成材に浸透しきれない水分を貯水部へ導入可能である。【選択図】  図３
2004267042.tif 000002
【特許請求の範囲】
【請求項１】
貯水若しくは保水可能な貯水部若しくは保水部の上方に略箱形の植栽部が設けられる緑化構造体を、敷設面に複数並設して構成される緑化設備であって、隣り合う該植栽部相互間に該貯水部若しくは該保水部へ水分を導入可能な流水経路を設けることを特徴とする緑化設備。
【請求項２】
前記流水経路が、少なくとも植栽部の育成材に浸透しきれない水分を前記貯水部若しくは保水部へ導入可能であることを特徴とする請求項１記載の緑化設備。
【請求項３】
前記植栽部の側壁相互間に設ける流水経路の下方に、略箱形の貯水部若しくは保水部の開口若しくは開口の一部を配設することを特徴とする請求項１又は２記載の緑化設備。
【請求項４】
前記植栽部の側壁に略上下方向へ凸条と凹溝を形成し、隣り合う植栽部の一方の植栽部の凸条を他方の植栽部の凹溝内に配設し、該凸条と凹溝との間の隙間で前記流水経路を設けることを特徴とする請求項１、２又は３記載の緑化設備。
【請求項５】
対応する前記植栽部と前記貯水部若しくは保水部を平面視でずらして配設することを特徴とする請求項１、２、３又は４記載の緑化設備。
【発明の詳細な説明】
【０００１】
【発明の属する技術分野】
本発明は、植物を栽培可能な植栽部を貯水部若しくは保水部の上方に設ける緑化構造体を屋上等の敷設面に複数敷設してなる緑化設備に係り、雨水を有効利用する緑化設備に関する。
【０００２】
【従来の技術】
植物を栽培可能な植栽部を貯水部若しくは保水部の上方に設ける緑化構造体や緑化設備等で、雨水を有効利用するものに関連する公知文献として特許文献１〜３がある。特許文献１には、底部から外方に吸水部を設けた上部開口の植物栽培コンテナを貯水槽に載置し、植物栽培コンテナの底部と貯水槽の底部間に貯水空間を形成すると共に、貯水空間の上部近傍に開口部を形成し、雨水をコンテナ内の植物育成材を通過させ貯水空間に導水する植物栽培ユニットが開示されている。
【０００３】
また、特許文献２には、一定の水位に水を貯める下部コンテナに人工土壌を入れた上部コンテナを積み重ねて構成される栽培コンテナを屋上に敷き並べ、、各下部コンテナ同士を連結管で接続連通し、最上流側の各下部コンテナに給水栓を接続連通すると共に、上部コンテナの人工土壌に下部コンテナの水を毛細管現象で吸い上げて供給する水吸上部材を設ける屋上緑化装置で、人工土壌の水分が飽和状態になると雨水が水吸上部材を介して下部コンテナに溜まる構成が開示されている。
【０００４】
また、特許文献３には、外周壁で所定形状の植栽空間を区画し、その上層部を植栽スペース、下層部を雨水を集めて溜める貯水タンクとし、両層部の境界に通水通気性フィルターと、貯水タンクから植栽スペースの土中に毛細管現象で水を供給する給水部材を設置し、植栽スペース部分に雨水を直接貯水タンクに導く集水溝を設ける雨水貯水型花壇設備が開示されている。
【０００５】
その他、特許文献４には、一対の植栽容器の重合部間に給水管を配設し、給水管の側面に形成された給水孔と植栽容器の通水口を介して一対の植栽容器に給水する緑化ユニットが開示されている。
【０００６】
【特許文献１】特開２０００−２０１５３８号公報
【特許文献２】特開平１１−９８９２９号公報
【特許文献３】特開平９−２４８０８２号公報
【特許文献４】特開２００１−６９８５９号公報
【０００７】
【発明が解決しようとする課題】
しかし、特許文献１、２の技術は、降雨があった際に雨水を植物栽培コンテナ内の土壌など植物育成材に一旦浸透させ、植物育成材を介して雨水を貯水槽に導くことから、植物栽培コンテナに植物が多く植栽されている場合や降雨量が多い場合には、植物育成材への浸透で補えない殆どの雨水が植物育成材上を流れ、植物栽培コンテナ相互間から落下して敷設面へ流れ出る、即ち、雨水を貯水槽へ導くことができずに緑化設備の外に排出してしまうことになるので、雨水を多く確保して植栽に有効利用することが困難である。従って、植物を良好に植栽するためには別途潅水を行う必要が生じ、膨大な水道費がかかってしまう。
【０００８】
また、特許文献３の技術は、植栽スペースから集水溝で雨水を直接貯水タンクに導くので、雨水をより多く確保して植栽に有効利用することは可能であるが、植栽スペース内に別途集水溝を設けるための様々な部材や作業が必要となり、高価なものになる。また、集水溝を一側壁の近傍に設ける場合に敷設面の勾配を考慮して集水溝を低勾配側に設ける必要がある等、集水溝を設けることで施工性を悪化させてしまう。また、植栽スペース内に集水溝を設けることで、植栽スペースが狭くなってしまう。
【０００９】
本発明は上記不具合を解消するものであり、貯水部若しくは保水部に雨水等の水分を確実に導いて、雨水等の水分をより多く確保して植栽に有効利用することができ、又、安価で施工性に優れる緑化設備を提供することを目的とする。また、本発明は、植栽面積を減らすことなく、若しくは最大限植栽面積を確保しつつ、貯水部若しくは保水部に雨水等の水分を導くことができる緑化設備を提供することを目的とする。
【００１０】
【課題を解決するための手段】
本発明の緑化設備は、貯水若しくは保水可能な貯水部若しくは保水部の上方に略箱形の植栽部が設けられる緑化構造体を、敷設面に複数並設して構成される緑化設備であって、隣り合う該植栽部相互間に該貯水部若しくは該保水部へ水分を導入可能な流水経路を設けることを特徴とし、例えば略箱形の植栽部の上方からの雨水等の水分を植栽部側壁相互間の流水経路から貯水部又は保水部へ導くものとする。前記植栽部又は前記貯水部若しくは保水部又はその両者は、例えば側壁及び底面を有する略箱形とし、好適には上面開口のものとするとよい。
【００１１】
更に、本発明の緑化設備は、前記流水経路が、少なくとも植栽部の育成材に浸透しきれない水分を前記貯水部若しくは保水部へ導入可能であることを特徴とする。
【００１２】
更に、本発明の緑化設備は、前記植栽部の側壁相互間に設ける流水経路の下方に、略箱形の貯水部若しくは保水部の開口若しくは開口の一部を配設することを特徴とする。例えば略箱形の貯水部若しくは保水部の少なくとも側壁上端の近傍位置に開口を設け、前記開口若しくは開口の一部を略箱形の植栽部の底面よりも平面視で外方に配置する。
【００１３】
更に、本発明の緑化設備は、前記植栽部の側壁に略上下方向へ凸条と凹溝を形成し、隣り合う植栽部の一方の植栽部の凸条を他方の植栽部の凹溝内に配設し、該凸条と凹溝との間の隙間で前記流水経路を設けることを特徴とする。
【００１４】
更に、本発明の緑化設備は、対応する前記植栽部と前記貯水部若しくは保水部を平面視でずらして配設することを特徴とする。例えば同大同形の植栽部と貯水部若しくは保水部を用い、平面視でずれた位置に配設し、流水経路を設ける構成等が可能である。
【００１５】
【作用】
本発明の緑化設備は、貯水部若しくは保水部上に植栽部を設ける緑化構造体を並設し、隣り合う植栽部相互間に貯水部若しくは保水部へ水分を導入可能な流水経路を設けるので、貯水部若しくは保水部に雨水等の水分を確実に導き、雨水等の水分をより多く確保して植栽に有効利用することができる。特に、植栽部の育成材に浸透しきれなかった水分を流水経路に流して貯水部若しくは保水部に導く構成とすることで、より一層確実に且つ多量に雨水等の水分を貯水部若しくは保水部へ導き、植栽に有効利用することができる。更に、植栽部側壁相互間など植栽部相互間に流水経路を設けることで、植栽部内の植栽面積を減らすことなく若しくは最大限確保しつつ、雨水等の有効利用を図ることができ、より多くの植栽面積を確保できる。又、例えば定置して固定される側壁相互間に流水経路を設ける等、植栽部相互間に流水経路を設けるので、例えば育成材等に外力が加わって流水経路が塞がれる等の不具合が無く、長期に亘って安定した流水経路を確実に確保できる。
【００１６】
又、貯水部若しくは保水部を上面開口で側壁及び底面を有する略箱形とし、貯水部等上に植栽部を載置して緑化構造体を形成する構成により、貯水若しくは保水可能な空間をより多く確保することが可能となり、植物栽培用として雨水等をより多く貯水若しくは保水することができる。
【００１７】
更に、植栽部の側壁相互間に設ける流水経路の下方に、略箱形の貯水部若しくは保水部の開口若しくは開口の一部を配設することにより、水分を植栽部相互間の流水経路を伝わせ若しくは落下させ、貯水部若しくは保水部の開口を介して貯水部若しくは保水部内に導くことができ、簡単且つ安価な構造で、雨水を確実に安定して貯水部若しくは保水部へ導くことができる。
【００１８】
更に、隣り合う植栽部の一方の植栽部の凸条を他方の植栽部の凹溝内に配設し、凸条と凹溝との間の隙間で流水経路を設けることで、より一層確実に且つ長期に亘って安定して貯水部若しくは保水部に水分を導ける流水経路とすることができる。又、凸条を凹溝内に配置して緑化構造体を敷設し、緑化設備を施工できるので、緑化設備の位置決め等が容易となり、施工性が向上する。
【００１９】
更に、対応する植栽部と貯水部若しくは保水部を平面視でずれた位置に配置して植栽部を貯水部若しくは保水部に載置し、流水経路を設けることで、より簡単且つ安価な構造で、雨水を確実に安定して貯水部若しくは保水部へ導くことができる流水経路を構成できる。
【００２０】
【発明の実施の形態】
次に、本発明の実施形態について図面に沿って説明する。図１〜図３は本発明の第１実施形態の緑化設備に関し、図１は植栽部を示す図、図２は貯水部を示す図、図３は緑化構造体を複数敷設した緑化設備を示す平面説明図である。
【００２１】
第１実施形態の緑化設備に於ける植栽部１０は、図１に示すように、平面視略正方形で、側壁１１と底面１２を有する上面開口の略箱形であり、４辺の側壁１１の内、隣り合う２辺には内方へ略弧状に突出する凹溝１３或いは凹部が各辺にそれぞれ２つずつ形成され、他の隣り合う２辺には外方へ略弧状に突出する凸条１４或いは凸部が各辺にそれぞれ２つずつ形成されている。凸条１４は凹溝１３内に収納可能な大きさであり、植栽部１０を並設して隣り合う植栽部１０の一方の植栽部１０の凹溝１３内に他の植栽部１０の凸条１４を収納した状態で、凸条１４の外端が凹溝１３の内端から離間して隙間が形成され、前記隙間が後述する流水経路となる構成である。
【００２２】
前記植栽部１０の底面１２には、植栽部１０内或いは後述する植栽部１０内の育成材１８に保持しきれない余剰水を貯水部２０内へ導くと共に、植栽部１０に植栽される植物１９の根へ空気を流通させる機能を有する通水兼通気口１５が所定箇所に複数穿設され、又、底面１２の略中央には導水部材挿通穴１６が形成され、植栽部１０或いは植栽部１０の育成材１８の水分が不足すると貯水部２０内の水分を毛細管現象により植栽部１０或いは育成材１８に導く別体の導水部材１７が、前記導水部材挿通穴１６に挿通され、底面１２から下方に突出して設けられている。
【００２３】
植栽部１０内には、図３に示すように、育成材１８が充填され、育成材１８に植物１９が植栽される。前記育成材１８は、植栽可能であれば適宜であるが、例えばパーライト、バーミキュウライト、ピートモス、バーク堆肥、チャフコン、木質腐朽有機物、ゼオライト、下水或いは浄水場から発生する汚泥、或いは汚泥の焼却灰等、或いはこれらを含有するもの、或いはこれらの内の数種類を選定して配合したもの、更に、これらの内の数種類を選定し、根腐れ防止用の硅酸塩白土等を植物１９の種類、環境等に応じて適宜選定し、これらを保水性、排水性を良好にするためにバランス良く配合したもの、或いは配合して固化しブロック状にした軽量育成材や、スポンジやヤシガラ等の繊維材等の軽量育成材等とすることができる。尚、育成材１８として軽量育成材を用いると、軽量育成材による荷重は従来の客土の約１／３程度であることから、敷設面への負荷される荷重を軽減することができ好適である。
【００２４】
また、第１実施形態の緑化設備に於ける貯水部２０は、図２に示すように、平面視略正方形で、側壁２１と底面２２を有する上面開口の略箱形であり、貯水部２０の大きさは植栽部１０と略同大である。前記側壁２１の上端の略中央には貯水部２０内の余剰水を排出する略弧状の切欠凹部２３が側壁２１の上端を切り欠いて形成されている。又、前記底面２２の所定箇所には、底面２２の上面から平面視略十字形の柱状部材２４が４つ上方に向かって立設されており、各柱状部材２４は側壁２１の上端と略同一高さで立設され、貯水部２０上に載置される植栽部１０の荷重や植栽部１０に負荷される外力を柱状部材２４で受けて支持する構成である。前記柱状部材２４は、平面視略十字形の中実で形成され、少ない体積で高強度を得られる構造であり、所要の強度を確実に確保しつつ、より多くの貯水が可能な構成になっている。
【００２５】
そして、図３に示すように、屋上等の敷設面に貯水部２０の複数を並べ、各貯水部２０を隣接させて敷設し、育成材１８を充填して植物１９が植栽された植栽部１０をそれぞれ貯水部２０上に載置して緑化構造体２を構成しつつ、第１実施形態の緑化設備１を形成する。植栽部１０と貯水部２０から構成される緑化構造体２を複数並べて敷設し、緑化設備１を構成した状態では、隣り合う一方の植栽部１０の凹溝１３内に他方の植栽部１０の凸条１４が収納され、前記凹溝１３と凸条１４との間に隙間である流水経路３が形成されると共に、前記隙間或いは流水経路３の下方に貯水部２０の開口が配置された状態となる。
【００２６】
上記緑化設備１上に降雨等があった場合、植栽部１０内の雨水等の水分量が育成材１８の浸透能力範囲内である場合には、育成材１８と通水兼通気口１５等を介して貯水部２０に水分が導かれるが、前記水分量が育成材１８の浸透能力を超える場合には、前記浸透能力を超える水分が育成材１８上を流れ、流水経路３を介して貯水部２０へ導かれる。そして、貯水部２０内に導かれた雨水等の水分は、植栽部１０が水不足になった場合に導水部材１７を介して植栽部１０内の育成材１８に導かれる。
【００２７】
上記第１実施形態の緑化設備１は、植栽部１０の側壁１１に凹溝１３や凸条１４を設ける簡単な構成で、雨水等をより多く確実に貯水部２０へ導くことが可能であり、従来は無駄にしていた分の雨水等も集水することができる。従って、雨水等をより多く確実に有効利用することができ、水道費を節約することができる。また、育成材１８の浸透能力に依存せずに、貯水部２０内に集水することが可能であり、様々な育成材１８を使用しても同様の効果を発揮することができる。
【００２８】
次に、本発明の第２実施形態について、第１実施形態と異なる箇所の詳細を説明する。図４〜図６は第２実施形態の緑化設備に関し、図４は植栽部を示す図、図５は貯水部を示す図、図６は緑化構造体を複数敷設した緑化設備を示す平面説明図である。
【００２９】
第２実施形態の緑化設備に於ける植栽部１０は、図４に示すように、平面視略正方形で、側壁１１と底面１２を有する上面開口の略箱形であり、凹溝１３と凸条１４が形成されていない形状であること以外は、第１実施形態の植栽部１０の構成と同様である。
【００３０】
また、第２実施形態の緑化設備に於ける貯水部２０は、図５に示すように、平面視略正方形で、側壁２１と底面２２を有する上面開口の略箱形であり、４辺の側壁２１の内、隣り合う２辺には略方形で内方に突出して高さ方向に延びる凹部２５が形成され、他の隣り合う２辺には略方形で外方に突出して高さ方向に延びる凸部２６が形成されている。凸部２６は凹部２５内に収納可能な大きさであり、貯水部２０を並設して隣り合う貯水部２０の一方の貯水部２０の凹部２５内に他の貯水部２０の凸部２６を収納し、凸部２６の外端面が凹部２５の内端面に当接する、或いは凸部２６が凹部２５に係合若しくは嵌合するようになっている。他の構成は、第１実施形態の貯水部２０の構成と同様である。
【００３１】
そして、図６に示すように、屋上等の敷設面に貯水部２０を複数並べ、貯水部２０の凹部２５内に隣り合う貯水部２０の凸部２６を収納しながら、各貯水部２０を隣接させて敷設し、育成材１８を充填して植物１９を植栽した植栽部１０をそれぞれ貯水部２０上に載置して緑化構造体２を構成しつつ、第２実施形態の緑化設備１を形成する。植栽部１０と貯水部２０から構成される緑化構造体２を複数並べて敷設し、緑化設備１を構成した状態では、隣り合う植栽部１０・１０の側壁１１・１１相互間に隙間である流水経路３が形成され、隙間或いは流水経路３の下方に貯水部２０の凸部２６の開口が配置された状態となる。
【００３２】
上記緑化設備１上に降雨等があった場合、第１実施形態と同様に、植栽部１０内の雨水等の水分量が育成材１８の浸透能力範囲内である場合には、育成材１８と通水兼通気口１５等を介して貯水部２０に水分が導かれるが、前記水分量が育成材１８の浸透能力を超える場合には、前記浸透能力を超える水分が育成材１８上を流れ、流水経路３を介して貯水部２０へ導かれる。そして、貯水部２０内に導かれた雨水等の水分は、植栽部１０が水不足になった場合に導水部材１７を介して植栽部１０内の育成材１８に導かれる。
【００３３】
上記第２実施形態の緑化設備１は、貯水部２０の側壁２１に凹部２５や凸部２６を設ける簡単な構成で、雨水等をより多く確実に貯水部２０へ導くことが可能であり、従来は無駄にしていた分の雨水等も集水することができる。従って、雨水等をより多く確実に有効利用することができ、水道費を節約することができる。また、育成材１８の浸透能力に依存せずに、貯水部２０内に集水することが可能であり、様々な育成材１８を使用しても同様の効果を発揮することができる。
【００３４】
次に、本発明の第３実施形態について、第１、第２実施形態と異なる箇所の詳細を説明する。図７及び図８は第３実施形態の緑化設備に関し、図７は緑化設備を示す平面説明図、図８は緑化設備の一部断面説明図である。
【００３５】
第３実施形態の緑化設備１に於ける植栽部１０は、図７及び図８に示すように、第２実施形態に於ける植栽部１０と同一構成であり、また、第３実施形態の緑化設備１に於ける貯水部２０は、第１実施形態に於ける貯水部２０と同一構成である。
【００３６】
そして、第３実施形態の緑化設備１は、屋上等の敷設面Ｆに貯水部２０を所定間隔を開けて並べて敷設し、必要に応じて前記所定間隔の敷設状態の貯水部２０を所定部材で位置決め固定し、育成材１８を充填して植物１９を植栽した植栽部１０をそれぞれ貯水部２０上に平面視で斜めにずらした位置で載置して緑化構造体２を構成しつつ、第３実施形態の緑化設備１を形成する。植栽部１０と貯水部２０から構成される緑化構造体２を複数並べて敷設し、緑化設備１を構成した状態では、隣り合う植栽部１０・１０の側壁１１・１１相互間に隙間である流水経路３が形成され、隙間或いは流水経路３の下方に貯水部２０の開口が配置された状態となり、流水経路３を介して貯水部２０に水Ｗが貯水される。
【００３７】
尚、流水経路３は、上記の如く予め所定間隔を設定して、施工時に意識的に形成する隙間にしてもよいが、施工時に緑化構造体２或いは植栽部１０を敷設する際に自然にできる隙間としてもよい。
【００３８】
上記第３実施形態の緑化設備１は、流水経路３を形成するための特別な構成が無い平面視略正方形の植栽部１０や貯水部２０を用い、対応する植栽部１０と貯水部２０をずらして配置する簡単な構成で流水経路３を形成することが可能であるから、より安価で且つ容易に第１、第２実施形態と同様の効果を発揮することができる。
【００３９】
以上、本発明の実施形態について説明したが、本発明は上記第１〜第３実施形態に限定されるものではなく、様々な拡張及び変形が可能である。
【００４０】
例えば貯水部２０の側壁２１等で植栽部１０を支持し、貯水部２０に柱状部材２４を設けない構成としてもよく、又、柱状部材２４は植栽部１０を支持可能なものであれば適宜である。また、植栽部１０に柱状部材を立設すると、植栽部１０上を人が歩行した場合の踏圧を支持し、育成材１８の固化等や緑化構造体２等の破損を防止できて好適である。
【００４１】
また、貯水部２０の底面２２の下側には脚部を突設すると、貯水部２０から溢れ出た余剰水の排水経路を底面２２の下側に形成することができるので好適である。
【００４２】
また、貯水部２０に代え、保水材等の保水部或いは略箱形の保水材が充填された保水部とする構成とすることも可能であり、雨水等の水分を保持し、植栽部１０内の水分が不足した場合に、導水部材１７等で貯水部２０若しくは保水部の水分を植栽部１０内に導入可能な構成であれば全て含まれる。
【００４３】
また、第１実施形態の植栽部１０の凹溝１３と凸条１４や、第２実施形態の貯水部２０の凹部２５と凸部２６の個数や位置等は上記実施形態に限定されるものではない。又、植栽部１０に凸条１４を設けずに凹溝１３のみを設ける構成や、貯水部２０に凹部２５を設けずに凸部２６のみを設ける構成としてもよい。又、凹溝１３、凹部２５、凸条１４、凸部２６の形状は上記実施形態に限定されず、半円弧、四角形、三角形等適宜であり、更に、これらが側壁１１、２１に形成されている形状或いは状態も、上記実施形態に限定されず波形、鋸形等適宜である。又、凹溝１３、凹部２５、凸条１４、凸部２６を形成する位置は、側壁１１、２１の２辺に限定されるものではなく、植栽部１０の角部等にこれらの適宜のものを形成し、第３実施形態と同様にずらして、流水経路が形成するようにしてもよい。
【００４４】
また、貯水部２０の側壁２１の上端等に断面略鉤形の連係部を設ける、前記連係部を隣り合う貯水部２０の側壁２１の上端に掛けて連携する構成や、隣り合う貯水部２０・２０の側壁２１・２１の上端に断面コ字形の連係部材を跨がせて連係する構成等、複数敷設する貯水部２０を相互に連携する構成とすると、貯水部２０の位置決めを確実に行うことが可能となると共に、貯水部２０上に載置される植栽部１０の位置決めも同時に行うことができ、流水経路３を確実に確保することができる。
【００４５】
また、本発明の植栽部１０や貯水部２０の形状は平面視略正方形である必要はなく、長方形、多角形等様々な形状にしてもよい。
【００４６】
また、第３実施形態の植栽部１０のずらし方向は貯水部２０に対して斜めにずらす構成としたが、縦又は横方向へのずらしだけの構成としてもよい。又、植栽部１０を貯水部２０に対して平面視でずらして配置する構成では、例えば貯水部２０の側壁２１の上端に係合するように、植栽部１０の底面１２に係合用の突起を設ける等、植栽部底面１２に係合部を設けると、迅速且つ確実に位置決めができて好適である。
【００４７】
【発明の効果】
本発明の緑化設備は、貯水部若しくは保水部に雨水等の水分を確実に導き、雨水等の水分をより多く確保して植栽に有効利用することができる効果を奏する。即ち、貯水部等に貯水等され植栽に有効利用できる有効水を飛躍的に増加し、貯水部等に導かれず無駄に排出する無効水を極力減少若しくは無くすことができる。また、安価に提供することが可能であり、優れた施工性を実現するものである。また、植栽面積を減らすことなく、或いは最大限植栽面積を確保しつつ、貯水部若しくは保水部に雨水等の水分を導いて有効利用することができる。
【図面の簡単な説明】
【図１】（ａ）第１実施形態の緑化設備に於ける植栽部の平面図。
（ｂ）同図（ａ）のＡ−Ａ線矢視断面図。
（ｃ）同図（ａ）のＢ−Ｂ線矢視断面図。
（ｄ）同図（ａ）のＣ−Ｃ線矢視図。
【図２】（ａ）第１実施形態の緑化設備に於ける貯水部の平面図。
（ｂ）同図（ａ）のＡ−Ａ線矢視断面図。
（ｃ）同図（ａ）のＢ−Ｂ線矢視図。
【図３】第１実施形態の緑化設備を示す平面説明図。
【図４】（ａ）第２実施形態の緑化設備に於ける植栽部の平面図。
（ｂ）同図（ａ）のＡ−Ａ線矢視断面図。
（ｃ）同図（ａ）のＢ−Ｂ線矢視図。
【図５】（ａ）第２実施形態の緑化設備に於ける貯水部の平面図。
（ｂ）同図（ａ）のＡ−Ａ線矢視断面図。
（ｃ）同図（ａ）のＢ−Ｂ矢視図。
【図６】第２実施形態の緑化設備を示す平面説明図。
【図７】第３実施形態の緑化設備を示す平面説明図。
【図８】第３実施形態の緑化設備の一部断面説明図。
【符号の説明】
１  緑化設備
２  緑化構造体
３  流水経路
１０  植栽部
１１、２１  側壁
１２、２２  底面
１３  凹溝
１４  凸条
２０  貯水部
２５  凹部
２６  凸部
【図１】
2004267042.tif 000003
【図２】
2004267042.tif 000004
【図３】
2004267042.tif 000005
【図４】
2004267042.tif 000006
【図５】
2004267042.tif 000007
【図６】
2004267042.tif 000008
【図７】
2004267042.tif 000009
【図８】
2004267042.tif 000010